(57)【要約】【課題】片手でも容易に操作すること。【解決手段】撮像装置１は、被写体像を撮像して撮像画像を取得する撮像手段１２と、撮像画像に対して画像処理を行う画像処理手段１４ｃと、撮像装置１の動きを検出する動き検出手段１５と、撮像画像の撮影パラメータまたは撮像画像に対する画像処理の画像処理パラメータを決定するための決定用画像と決定用画像上の位置を選択するための選択手段とを表示手段１７に表示し、動き検出手段１５による検出結果に応じて、決定用画像に沿って選択手段を移動させる表示制御手段１４ａと、選択手段の位置に応じて撮影パラメータまたは画像処理パラメータを決定するパラメータ決定手段１４ｂと、を備える。【選択図】図１
2015106824.tif 000002
【特許請求の範囲】
【請求項１】
被写体像を撮像して撮像画像を取得する撮像手段と、
前記撮像画像に対して画像処理を行う画像処理手段と、
撮像装置の動きを検出する動き検出手段と、
前記撮像画像の撮影パラメータまたは前記撮像画像に対する画像処理の画像処理パラメータを決定するための決定用画像と前記決定用画像上の位置を選択するための選択手段とを表示手段に表示し、前記動き検出手段による検出結果に応じて、前記決定用画像に沿って前記選択手段を移動させる表示制御手段と、
前記選択手段の位置に応じて前記撮影パラメータまたは前記画像処理パラメータを決定するパラメータ決定手段と、
を備えることを特徴とする撮像装置。
【請求項２】
請求項１に記載の撮像装置において、
前記決定用画像は円形状であり、
前記表示制御手段は、前記決定用画像の円形状に沿って前記選択手段を移動させることを特徴とする撮像装置。
【請求項３】
請求項２に記載の撮像装置において、
前記動き検出手段は、前記撮像装置の加速度を検出する加速度センサにより構成され、
前記表示制御手段は、前記加速度センサにより検出された加速度の向きに応じた回転方向に前記選択手段を移動させることを特徴とする撮像装置。
【請求項４】
請求項３に記載の撮像装置において、
前記表示制御手段は、前記選択手段が停止している状態で、前記加速度センサにより所定の加速度が検出されると前記選択手段の移動を開始させ、前記選択手段が移動している状態で、前記加速度センサにより前記選択手段の移動開始時と逆方向の加速度が検出されると前記選択手段を停止させることを特徴とする撮像装置。
【請求項５】
請求項３または４に記載の撮像装置において、
前記パラメータ決定手段により決定可能な複数の画像処理パラメータのうち、ユーザのお気に入りの画像処理パラメータを登録する登録手段をさらに備え、
前記表示制御手段は、前記決定用画像において、前記お気に入りの画像処理パラメータが決定される部分では、それ以外の部分よりも前記選択手段の移動速度を遅くすることを特徴とする撮像装置。
【請求項６】
請求項４に記載の撮像装置において、
前記表示制御手段は、前記加速度センサにより検出された加速度の絶対値が大きいほど、前記選択手段の移動速度を速くすることを特徴とする撮像装置。
【請求項７】
請求項１〜６のいずれか一項に記載の撮像装置において、
ユーザの前記撮像装置の保持位置を検出する保持位置検出手段をさらに備え、
前記表示制御手段は、前記保持位置検出手段により検出された保持位置に基づいて前記選択手段を移動させる方向を決定することを特徴とする撮像装置。
【請求項８】
請求項１〜７のいずれか一項に記載の撮像装置において、
前記選択手段の位置が移動されると、前記パラメータ決定手段が前記選択手段の移動に応じて前記画像処理パラメータを変更し、前記画像処理手段が前記パラメータ決定手段により変更された画像処理パラメータを用いて前記撮像画像に対して画像処理を行い、前記表示制御手段が前記画像処理手段による画像処理後の前記撮像画像を表示手段に表示することを特徴とする撮像装置。
【請求項９】
請求項１〜８のいずれか一項に記載の撮像装置において、
前記決定用画像は、第１画像処理パラメータを決定するための第１画像部分と第２画像処理パラメータを決定するための第２画像部分とを有し、
前記パラメータ決定手段は、前記選択手段が前記第１画像部分にある場合には前記選択手段の位置に応じて前記第１画像処理パラメータを決定し、前記選択手段が前記第２画像部分にある場合には前記選択手段の位置に応じて前記第２画像処理パラメータを決定することを特徴とする撮像装置。
【請求項１０】
請求項９に記載の撮像装置において、
前記第１画像処理パラメータは、第１の画像処理および第２の画像処理の比率を示すパラメータであり、
前記第２画像処理パラメータは、第３の画像処理および第４の画像処理の比率を示すパラメータであり、
前記画像処理手段は、前記パラメータ決定手段により前記第１画像処理パラメータが決定された場合には、前記第１画像処理パラメータが示す比率で前記第１の画像処理および前記第２の画像処理の両方を前記撮像画像に対して行い、前記パラメータ決定手段により前記第２画像処理パラメータが決定された場合には、前記第２画像処理パラメータが示す比率で前記第３の画像処理および前記第４の画像処理の両方を前記撮像画像に対して行うことを特徴とする撮像装置。
【請求項１１】
撮像画像の撮影パラメータまたは撮像画像に対する画像処理の画像処理パラメータを決定するための決定用画像と前記決定用画像上の位置を選択するための選択手段とを表示手段に表示する表示工程と、
撮像装置の動きを検出する動き検出手段による検出結果に応じて、前記決定用画像に沿って前記選択手段を移動させる移動工程と、
前記選択手段の位置に応じて前記撮影パラメータまたは前記画像処理パラメータを決定するパラメータ決定工程と、
を有することを特徴とするパラメータ決定方法。
【請求項１２】
請求項１１に記載のパラメータ決定方法をコンピュータに実行させることを特徴とするパラメータ決定プログラム。
【発明の詳細な説明】
【技術分野】
【０００１】
本発明は、撮像装置、パラメータ決定方法およびパラメータ決定プログラムに関する。
【背景技術】
【０００２】
使用する画像効果を選択するためのエフェクトメニューと、選択した画像効果の効果レベルを調整するためのスライドメニューとを表示するデジタルカメラが知られている（特許文献１参照）。このデジタルカメラでは、タッチパネルに対するタッチ操作によって、エフェクトメニューやスライドメニューを操作できるようになっている。
【先行技術文献】
【特許文献】
【０００３】
【特許文献１】特開２０１２−１２４６０８号公報
【発明の概要】
【発明が解決しようとする課題】
【０００４】
上記従来技術のデジタルカメラでは、片方の手でデジタルカメラを持ちながらもう片方の手でタッチパネルを操作する必要があり、片手のみでの操作が難しかった。
【課題を解決するための手段】
【０００５】
（１）請求項１に記載の撮像装置は、被写体像を撮像して撮像画像を取得する撮像手段と、撮像画像に対して画像処理を行う画像処理手段と、撮像装置の動きを検出する動き検出手段と、撮像画像の撮影パラメータまたは撮像画像に対する画像処理の画像処理パラメータを決定するための決定用画像と決定用画像上の位置を選択するための選択手段とを表示手段に表示し、動き検出手段による検出結果に応じて、決定用画像に沿って選択手段を移動させる表示制御手段と、選択手段の位置に応じて撮影パラメータまたは画像処理パラメータを決定するパラメータ決定手段と、を備えることを特徴とする。
（２）請求項１１に記載のパラメータ決定方法は、撮像画像の撮影パラメータまたは撮像画像に対する画像処理の画像処理パラメータを決定するための決定用画像と決定用画像上の位置を選択するための選択手段とを表示手段に表示する表示工程と、撮像装置の動きを検出する動き検出手段による検出結果に応じて、決定用画像に沿って選択手段を移動させる移動工程と、選択手段の位置に応じて撮影パラメータまたは画像処理パラメータを決定するパラメータ決定工程と、を有することを特徴とする。
（３）請求項１２に記載のパラメータ決定プログラムは、請求項１１に記載のパラメータ決定方法をコンピュータに実行させることを特徴とする。
【発明の効果】
【０００６】
本発明によれば、片手でも容易に操作することができる。
【図面の簡単な説明】
【０００７】
【図１】本発明の一実施の形態によるデジタルカメラの構成例を説明するブロック図である。
【図２】リング画像を説明する図である。
【図３】リング画像のカーソルの位置に応じた画像処理を説明する図である。
【図４】撮影シーンに応じた画像処理の組合せを説明する図である。
【図５】デジタルカメラの動きを説明する図である。
【図６】クリエイティブモードにおける処理の流れを説明するフローチャートである。
【図７】プログラムの提供の様子を説明する図である。
【発明を実施するための形態】
【０００８】
以下、図面を参照して本発明の一実施形態について説明する。図１は、本実施形態に係るデジタルカメラ１の構成を示すブロック図である。デジタルカメラ１は、撮像光学系１１と、撮像素子１２と、レンズ駆動回路１３と、制御部１４と、動き検出部１５と、操作部材１６と、表示部１７とを備えている。デジタルカメラ１には、例えばメモリカードなどの記録媒体１８が着脱可能である。
【０００９】
撮像光学系１１は、ズームレンズやフォーカシングレンズを含む複数のレンズ群で構成され、被写体像を撮像素子１２の受光面に結像させる。なお、図１を簡単にするため、撮像光学系１１を単レンズとして図示している。
【００１０】
レンズ駆動回路１３は、制御部１４の制御のもと、撮像光学系１１のズームレンズを駆動して焦点距離を調節するとともに、撮像光学系１１のフォーカシングレンズを駆動して焦点調節を行う。
【００１１】
撮像素子１２は、例えばＣＭＯＳ撮像素子などのイメージセンサであり、撮像光学系１１により結像した被写体像を撮像して、得られた画像信号を制御部１４へ出力する。
【００１２】
制御部１４は、表示制御部１４ａと、パラメータ決定部１４ｂと、画像処理部１４ｃ、登録部１４ｄとを有する。制御部１４は、ＣＰＵ、メモリ、およびその周辺回路から構成され、メモリに格納された制御プログラムを実行することにより、これらの各部の機能を実現している。各部の機能の内容については、後で詳しく説明する。
【００１３】
動き検出部１５は、加速度センサにより構成され、検出した加速度に基づいてデジタルカメラ１の動きを検出し、検出結果を示す信号を制御部１４に出力する。
【００１４】
操作部材１６は、シャッターボタン、録画ボタン、モード切替ボタン、十字キー、ＯＫボタン、ディスプレイボタンなどを含む。操作部材１６は、ユーザ操作に応じた操作信号を制御部１４へ出力する。
【００１５】
表示部１７は、デジタルカメラ１の背面に搭載された液晶モニタ（背面モニタ）等で構成され、撮像素子１２で撮像された撮像画像や各種設定メニューなどが表示される。
【００１６】
操作部材１６からの操作信号に応じて撮影モードに設定されると、制御部１４は、撮像素子１２に所定のフレームレートでスルー画用の撮像処理を行わせ、撮像素子１２から時系列で得られる各フレーム画像から表示用のフレーム画像を生成して表示部１７に出力する。これによって表示部１７には、スルー画がリアルタイムで表示される。
【００１７】
撮影モードにおいてシャッターボタンが全押し操作されて静止画の撮影が指示されると、制御部１４は、撮像素子１２に静止画用の撮像処理を行わせ、撮像素子１２から取得した画像信号に対して所定の画像処理を行って静止画データを生成し、ＪＰＥＧなどの所定の方式により圧縮処理を行って、記録媒体１８に記録する。
【００１８】
また、操作部材１６からの操作信号に応じて再生モードに設定されると、制御部１４は、記録媒体１８に記録された静止画データを読み出して再生し、表示部１７に表示する。
【００１９】
本実施形態のデジタルカメラ１では、撮影モードとして、通常モードの他に、クリエイティブモードが設けられている。以下、このクリエイティブモードについて説明する。
【００２０】
クリエイティブモードにおいて、制御部１４の表示制御部１４ａは、図２に示すように、撮像画像に対して行う画像処理の画像処理パラメータを決定するための画像５０をスルー画に重ねて表示部１７に表示する。画像５０は、リング形状（円形状）の画像であり、以下、リング画像５０と表記する。リング画像５０上には、リング画像５０上の位置を選択するためのカーソル５１が表示される。表示制御部１４ａは、動き検出部１５により検出されたデジタルカメラ１の動きに応じて、カーソル５１をリング画像５０に沿って移動させる（詳しくは後述する）。
【００２１】
制御部１４のパラメータ決定部１４ｂは、リング画像５０に対するカーソル５１の位置に応じて、撮像画像に対して行う画像処理の画像処理パラメータを決定する。制御部１４の画像処理部１４ｃは、撮像画像に対して、パラメータ決定部１４ｂにより決定された画像処理パラメータに基づいて画像処理を行う。表示制御部１４ａは、画像処理部１４ｃによる画像処理後の撮像画像をスルー画として表示部１７に表示する。
【００２２】
このようにデジタルカメラ１では、リング画像５０上でカーソル５１を移動させることで画像処理パラメータを変更することができ、変更後の画像処理パラメータに基づく画像処理が行われた撮像画像を、スルー画によってリアルタイムで確認させることができる。そして、デジタルカメラ１では、ユーザがカーソル５１を移動させて所望の画像処理パラメータに変更した後、シャッターボタンを押下することで、所望の画像処理パラメータに基づく画像処理を施した静止画を記録することができるようになっている。
【００２３】
なお、本実施形態において、画像処理パラメータとは、リング画像５０に設定された４つの画像処理（以下、第１画像処理〜第４画像処理と表記する）のうち、どの画像処理をどのくらいの比率で行うかを示すパラメータである。第１画像処理〜第４画像処理の内容について、詳しくは後述する。
【００２４】
リング画像５０には、リング画像５０の頂上地点Ｐ０から時計周りに第０位置〜第６５位置の６６か所の位置が設定されており、その位置を示す目盛が表示されている。リング画像５０の頂上地点Ｐ０が第０位置であり、その右隣の位置Ｐ１が第１位置である。第０位置Ｐ０から時計周りに９０度離れた位置Ｐ１７が第１７位置である。第１位置Ｐ１から第１７位置Ｐ１７の間には、第２位置〜第１６位置の１５か所の位置が等間隔に設定される。第０位置Ｐ０から１８０度離れた位置Ｐ３３が第３３位置である。第１７位置Ｐ１７から第３３位置Ｐ３３の間には、第１８位置〜第３２位置の１５か所の位置が等間隔に設定される。第０位置Ｐ０から時計周りに２７０度離れた位置Ｐ４９が第４９位置である。第３３位置Ｐ３３から第４９位置Ｐ４９の間には、第３４位置〜第４８位置の１５か所の位置が等間隔に設定される。第０位置Ｐ０の左隣の位置Ｐ６５は第６５位置である。第４９位置Ｐ４９から第６５位置Ｐ６５の間には、第５０位置〜第６４位置の１５か所の位置が等間隔に設定される。
【００２５】
リング画像５０では、第１リング部分５０ａ〜第４リング部分５０ｄが設定されている。第１リング部分５０ａ〜第４リング部分５０ｄは、それぞれ中心角が約９０度の円弧形状（１／４円形状）でなる。第１リング部分５０ａは、第１位置Ｐ１から第１７位置Ｐ１７までの部分である。第２リング部分５０ｂは、第１７位置Ｐ１７から第３３位置Ｐ３３までの部分である。第３リング部分５０ｃは、第３３位置Ｐ３３から第４９位置Ｐ４９までの部分である。第４リング部分５０ｄは、第４９位置Ｐ４９から第６５位置Ｐ６５までの部分である。
【００２６】
次に、図３を用いて、リング画像５０上でのカーソル５１の位置に応じて決定される画像処理パラメータを説明する。図３では、０〜６５の番号が第０位置〜第６５位置を示し、番号の下にその番号が示す位置において決定される画像処理パラメータの内容を記載している。リング画像５０の表示を開始した時点において、表示制御部１４ａは、リング画像５０の第０位置Ｐ０にカーソル５１を表示する。このとき、パラメータ決定部１４ｂは、第１画像処理〜第４画像処理のいずれも行わないように画像処理パラメータを決定する。したがって、表示部１７には、第１画像処理〜第４画像処理のいずれも施していない状態のスルー画、すなわち元画像が表示される。
【００２７】
また、パラメータ決定部１４ｂは、カーソル５１がリング画像５０の第１リング部分５０ａにある場合にはカーソル５１の位置に応じて第１画像処理と第２画像処理の比率を示すパラメータである第１画像処理パラメータを決定する。
【００２８】
カーソル５１が第１位置Ｐ１にある場合、パラメータ決定部１４ｂは、第１画像処理のみを（すなわち第１画像処理を１００％の比率で）行うように第１画像処理パラメータを決定する。したがって、カーソル５１が第０位置Ｐ０から第１位置Ｐ１に時計周りに移動すると、表示部１７に表示されるスルー画は、元画像の状態から第１画像処理のみを施した状態へと変化する。
【００２９】
カーソル５１が第１７位置Ｐ１７にある場合、パラメータ決定部１４ｂは、第２画像処理のみを（すなわち第２画像処理を１００％の比率で）行うように第１画像処理パラメータを決定する。したがって、カーソル５１が第１位置Ｐ１から第１７位置Ｐ１７へと時計周りに移動すると、表示部１７に表示されるスルー画は、第１画像処理のみを施した状態から第２画像処理のみを施した状態へと変化する。このとき、表示部１７に表示される撮像画像は、第１画像処理のみを施した状態から第２画像処理のみを施した状態へ１５段階で徐々に遷移するようになっている。すなわち、カーソル５１が第２位置から第１６位置にある間、パラメータ決定部１４ｂは、第１画像処理および第２画像処理の両方を行う（すなわち第１画像処理および第２画像処理を重ねがけする）ように第１画像処理パラメータを決定する。このときパラメータ決定部１４ｂは、カーソル５１が第１位置Ｐ１に近いほど第１画像処理の比率を高くして第２画像処理の比率を低くし、カーソル５１が第１７位置Ｐ１７に近いほど第２画像処理の比率を高くして第１画像処理の比率を低くするように第１画像処理パラメータを決定する。たとえば、パラメータ決定部１４ｂは、カーソル５１が第５位置にあるときは、第１画像処理を７５％、第２画像処理を２５％の比率で、カーソル５１が第９位置にあるときは、第１画像処理を５０％、第２画像処理を５０％の比率で、カーソル５１が第１３位置にあるときは、第１画像処理を２５％、第２画像処理を７５％の比率で行うように画像処理パラメータを決定する。なお、第１画像処理を７５％の比率で行うとは、たとえば、撮像画像に第１画像処理のみを施したとき（すなわち第１画像処理を１００％施したとき）における撮像画像の変化の度合いを１００％としたときに、その度合いの７５％撮像画像が変化するように第１画像処理を施すことである。
【００３０】
また、パラメータ決定部１４ｂは、カーソル５１がリング画像５０の第２リング部分５０ｂにある場合にはカーソル５１の位置に応じて第２画像処理と第３画像処理の比率を示すパラメータである第３画像処理パラメータを決定する。
【００３１】
カーソル５１が第３３位置Ｐ３３にある場合、パラメータ決定部１４ｂは、第３画像処理のみを（すなわち第３画像処理を１００％の比率で）行うように第２画像処理パラメータを決定する。したがって、カーソル５１が第１７位置Ｐ１７から第３３位置Ｐ３３へと時計周りに移動すると、表示部１７に表示されるスルー画は、第２画像処理のみを施した状態から第３画像処理のみを施した状態へと変化する。このとき、表示部１７に表示されるスルー画は、第２画像処理のみを施した状態から第３画像処理のみを施した状態へ１５段階で徐々に遷移するようになっている。すなわち、カーソル５１が第１８位置から第３２位置にある間、パラメータ決定部１４ｂは、第２画像処理および第３画像処理の両方を行う（すなわち第２画像処理および第３画像処理を重ねがけする）ように第２画像処理パラメータを決定する。このときパラメータ決定部１４ｂは、カーソル５１が第１７位置Ｐ１７に近いほど第２画像処理の比率を高くして第３画像処理の比率を低くし、カーソル５１が第３３位置Ｐ３３に近いほど第３画像処理の比率を高くして第２画像処理の比率を低くするように第２画像処理パラメータを決定する。
【００３２】
また、パラメータ決定部１４ｂは、カーソル５１がリング画像５０の第３リング部分５０ｃにある場合にはカーソル５１の位置に応じて第３画像処理と第４画像処理の比率を示すパラメータである第３画像処理パラメータを決定する。
【００３３】
カーソル５１が第４９位置Ｐ４９にある場合、パラメータ決定部１４ｂは、第４画像処理のみを（すなわち第４画像処理を１００％の比率で）行うよう第３画像処理パラメータを決定する。したがって、カーソル５１が第３３位置Ｐ３３から第４９位置Ｐ４９へと時計周りに移動されると、表示部１７に表示されるスルー画は、第３画像処理のみを施した状態から第４画像処理のみを施した状態へと変化する。このとき、表示部１７に表示されるスルー画は、第３画像処理のみを施した状態から第４画像処理のみを施した状態へ１５段階で徐々に遷移するようになっている。すなわち、カーソル５１が第３４位置から第４８位置にある間、パラメータ決定部１４ｂは、第３画像処理および第４画像処理の両方を行う（すなわち第３画像処理および第４画像処理を重ねがけする）ように第３画像処理パラメータを決定する。このときパラメータ決定部１４ｂは、カーソル５１が第３３位置Ｐ３３に近いほど第３画像処理の比率を高くして第４画像処理の比率を低くし、カーソル５１が第４９位置Ｐ４９に近いほど第４画像処理の比率を高くして第３画像処理の比率を低くするように第３画像処理パラメータを決定する。
【００３４】
また、パラメータ決定部１４ｂは、カーソル５１がリング画像５０の第４リング部分５０ｄにある場合にはカーソル５１の位置に応じて第４画像処理と第１画像処理の比率を示すパラメータである第４画像処理パラメータを決定する。
【００３５】
カーソル５１が第６５位置Ｐ６５にある場合、パラメータ決定部１４ｂは、第１画像処理のみを（すなわち第１画像処理を１００％の比率で）行うように第４画像処理パラメータを決定する。したがって、カーソル５１が第４９位置Ｐ４９から第６５位置Ｐ６５へと時計周りに移動すると、表示部１７に表示されるスルー画は、第４画像処理のみを施した状態から第１画像処理のみを施した状態へと変化する。このとき、表示部１７に表示されるスルー画は、第４画像処理のみを施した状態から第１画像処理のみを施した状態へ１５段階で徐々に遷移するようになっている。すなわち、カーソル５１が第５０位置から第６４位置にある間、パラメータ決定部１４ｂは、第４画像処理および第１画像処理の両方を行う（すなわち第４画像処理および第１画像処理を重ねがけする）ように第４画像処理パラメータを決定する。このときパラメータ決定部１４ｂは、カーソル５１が第４９位置Ｐ４９に近いほど第４画像処理の比率を高くして第１画像処理の比率を低くし、カーソル５１が第６５位置Ｐ６５に近いほど第１画像処理の比率を高くして第４画像処理の比率を低くするように第４画像処理パラメータを決定する。
【００３６】
また、カーソル５１が第６５位置Ｐ６５から第０位置Ｐ０へと時計周りに移動すると、表示部１７に表示されるスルー画は、第１画像処理のみ施した状態から元画像の状態へと戻る。
【００３７】
このように、カーソル５１が第０位置Ｐ０から時計周りに１回転すると、撮像画像に施される画像処理が、元画像から、第１画像処理、第２画像処理、第３画像処理、第４画像処理の順で連続的に変更された後、再度第１画像処理に戻って、元画像に戻る。なお、カーソル５１が反時計回りに１回転する場合は、撮像画像に施される画像処理は、上述した時計周りに１回転する場合と逆の順で変化する。また、必ずしもカーソル５１が１回転しなくてもよく、たとえば、カーソル５１が時計周りに半周回転した後に反時計回りに移動して、画像処理の変化を戻すことも可能となっている。
【００３８】
このようにデジタルカメラ１では、リング画像５０に対するカーソル５１の位置を移動させることにより、撮像画像に施す画像処理について、第１画像処理〜第４画像処理のうち、どの画像処理をどれくらいの比率で行うかを変更することができる。
【００３９】
次に、リング画像５０に設定される第１画像処理〜第４画像処理の内容について、詳しく説明する。なお、本説明において、画像処理には、たとえば彩度やコントラスト、ホワイトバランスなどのパラメータを変えることで画作りを行う処理や、たとえばフィルタをかけてぼかしたり周辺を暗くしてトイカメラ風にしたりするなど画像効果をかける処理が含まれるとする。クリエイティブモードでは、撮影シーンを判別するシーン判別処理を行い、判別した撮影シーンに応じた４つの画像処理を、第１画像処理〜第４画像処理としてリング画像５０に設定するようになっている。すなわち、判別される撮影シーンによって、リング画像５０に設定される第１画像処理〜第４画像処理の内容が異なっている。
【００４０】
判別される撮影シーンとしては、人物を撮影するシーンである「ポートレート」、被写体に接近して撮影するシーンである「接写」、風景を撮影するシーンである「風景」、「ポートレート」、「接写」、「風景」のいずれでもないシーンである「その他」の４種類である。なお、判別される撮影シーンの種類は一例であり、この他種々の撮影シーンを判別してもよい。撮影シーンの判別方法は、公知の方法を用いるものとする。制御部１４は、たとえば、撮像素子１２からの画像信号に基づく情報（輝度や色バランス（Ｒ／Ｇ比、Ｂ／Ｇ比）など）や、カメラ設定情報（撮像光学系１１の焦点距離や撮影倍率など）に基づいて撮影シーンを判別する。
【００４１】
図４は、撮影シーンに応じた第１画像処理〜第４画像処理の組合せを説明する図である。デジタルカメラ１では、撮影シーンごとに、それぞれの撮影シーンに適した４種類の画像処理が第１画像処理〜第４画像処理として予め設定されている。たとえば、撮影シーン「人物」用のリング画像５０ｐには、第１画像処理として「ポートレート」、第２画像処理として「モノクローム」、第３画像処理として「ハイキー」、第４画像処理として「クロスプロセス（Ｒ）」が設定される。撮影シーン「接写」用のリング画像５０ｎには、第１画像処理として「ビビッド」、第２画像処理として「ハイキー」、第３画像処理として「トイカメラ」、第４画像処理として「セレクトカラー」が設定される。撮影シーン「風景」用のリング画像５０ｇには、第１画像処理として「クロスプロセス（Ｂ）」、第２画像処理として「風景」、第３画像処理として「フィルターモノクロ（セピア）」、第４画像処理として「アヴァンギャルド」が設定される。撮影シーン「その他」用のリング画像５０ｓには、第１画像処理として「アヴァンギャルド」、第２画像処理として「モノクローム」、第３画像処理として「トイカメラ」、第４画像処理として「クロスプロセス（Ｇ）」が設定される。なお、図４では説明のため、撮影シーンおよび第１画像処理〜第４画像処理の内容を示すテキストを記載しているが、実際の表示部１７の表示画面では、当該テキストは表示されず、リング画像５０とカーソル５１のみが表示される。すなわち、リング画像５０ｐ、５０ｎ、５０ｇ、５０ｓは、表示部１７の表示画面ではどの撮影シーンでも同じ画像として（すなわち同じ表示内容で）表示される。
【００４２】
「ポートレート」は、人物の肌をきれいに見せる画作りを行うための画像処理である。「モノクローム」は、白黒の濃淡のみの画作りを行うための画像処理である。「ハイキー」は、画面全体が明るく陰影の少ない画作りを行うための画像処理である。「クロスプロセス（Ｒ）」、「クロスプロセス（Ｇ）」、および「クロスプロセス（Ｂ）」は、クロスプロセス（ポジフィルムを使いネガ用の現像を行う銀塩写真の手法）を行ったような画像効果を得るための画像処理である。なお、「クロスプロセス（Ｒ）」では赤みの強い画像が得られ、「クロスプロセス（Ｇ）」では緑みの強い画像が得られ、「クロスプロセス（Ｂ）」では青みの強い画像が得られる。「ビビッド」は、コントラストが強調された色鮮やかな画作りを行うための画像処理である。「トイカメラ」は、トイカメラで撮影したような画像効果を得るための画像処理である。「セレクトカラー」は、特定の色だけを残してその他をモノクロに変化した画像効果を得るための画像処理である。「風景」は、自然や街並みなどの景観に適した画作りを行うための画像処理である。「フィルターモノクロ（セピア）」は、セピア色の濃淡のみの画作りを行うための画像処理である。「アヴァンギャルド」は、「ビビッド」よりもさらにコントラストと彩度を上げて独特の画作りを行うための画像処理である。
【００４３】
なお、リング画像５０に第１画像処理〜第４画像処理として設定する画像処理の組合せの情報は撮影シーンごとにデジタルカメラ１内のメモリに予め記憶されており、この情報とシーン判別結果に基づいて、第１画像処理〜第４画像処理がリング画像５０に設定される。
【００４４】
また、デジタルカメラ１では、撮影シーンごとに、第１画像処理パラメータ〜第４画像処理パラメータのうち、ユーザのお気に入りの画像処理パラメータを登録できるようになっている。たとえば、撮影シーンが「人物」である場合において、カーソル５１が第２リング部分５０ｂにあるときに、ユーザが操作部材１６を介してお気に入りを登録するための所定の操作を行ったとする。すると、制御部１４の登録部１４ｄは、第２画像処理パラメータ（すなわち第２画像処理「モノクローム」と第３画像処理「ハイキー」の比率を示すパラメータ）をお気に入りの画像処理パラメータとしてメモリに記録（登録）する。このように登録部１４ｄは、ユーザの操作に応じて、ユーザのお気に入りの画像処理パラメータを登録する。
【００４５】
なお、登録部１４ｄは、過去に撮影に用いられた画像処理パラメータの累計データから学習して、ユーザのお気に入りの画像処理パラメータを自動で登録するようにしてもよい。たとえば、撮影シーン「接写」において、第１画像処理パラメータ（すなわち第１画像処理「ビビッド」と第２画像処理「ハイキー」の比率を示すパラメータ）が最も多く撮影時に使用されている場合には、登録部１４ｄは、撮影シーン「接写」において第１画像処理パラメータをお気に入りの画像処理パラメータとしてメモリに記録（登録）する。
【００４６】
次に、動き検出部１５により検出されたデジタルカメラ１の動きに応じて、リング画像５０上でカーソル５１を移動させる処理について図５を用いて説明する。本実施形態では、ユーザがデジタルカメラ１を上下方向に振ることで、カーソル５１を移動させることができるようになっている。なお、本実施形態では、ユーザがデジタルカメラ１の右側を保持することを前提として説明する。
【００４７】
リング画像５０が表示されている間、動き検出部１５の加速度センサは、デジタルカメラ１の左右方向（Ｘ軸方向、長手方向）と上下方向（Ｙ軸方向、短手方向）の加速度を検出する。なお、右方向をＸ軸正方向とし、左方向をＸ軸負方向とする。また、上方向をＹ軸正方向とし、下方向をＹ軸負方向とする。また、Ｘ軸方向およびＹ軸方向の加速度を（Ｘ，Ｙ）と表す。
【００４８】
図５（ａ）に示すように、ユーザがデジタルカメラ１を正位置（デジタルカメラ１の短手方向が重力方向と略一致する状態）に構えて静止しているときには、動き検出部１５では、（Ｘ，Ｙ）＝（０ｇ，１ｇ）が検出される。
【００４９】
また、図５（ｂ）に示すように、ユーザがデジタルカメラ１の右側を保持して下向きに振ると、動き検出部１５では、たとえば（Ｘ，Ｙ）＝（−１ｇ，−２ｇ）のように、Ｘ軸負方向の加速度とＹ軸負方向の加速度が検出される。
【００５０】
また、図５（ｃ）に示すように、ユーザがデジタルカメラ１の右側を保持して上向きに振ると、動き検出部１５では、たとえば（Ｘ，Ｙ）＝（−１ｇ，２ｇ）のように、Ｘ軸負方向の加速度とＹ軸負方向の加速度が検出される。
【００５１】
このように、動き検出部１５では、ユーザがデジタルカメラ１を正位置に構えて静止しているときにはＸ軸方向の加速度が検出されないが、デジタルカメラ１の右側を保持して上下方向に振ったときにはＸ軸負方向の加速度が検出される。また、動き検出部１５では、ユーザがデジタルカメラ１を下方向に振ったときにはＹ軸負方向の加速度が検出され、デジタルカメラ１を上方向に振ったときにはＹ軸正方向の加速度が検出される。したがって、動き検出部１５で検出されるＸ軸方向およびＹ軸方向の加速度に基づいて、デジタルカメラ１が静止しているか、下向きに振られたか、上向きに振られたかを検出することができる。
【００５２】
表示制御部１４ａは、リング画像５０の表示を開始した時点では、第０位置Ｐ０にカーソル５１を停止させている。カーソル５１が停止している状態において、動き検出部１５によりデジタルカメラ１が下向きに振られたことが検出されると、表示制御部１４ａは、カーソル５１をリング画像５０に沿って反時計回りに移動させる。
【００５３】
このとき表示制御部１４ａは、カーソル５１を所定の速度で移動させるが、第１リング部分５０ａ〜第４リング部分５０ｄのうち、登録部１４ｄで登録されたお気に入りの画像処理パラメータが決定されるリング部分では、カーソル５１の移動速度を遅くする。たとえば、撮影シーン「風景」において、第４画像処理パラメータ（第４画像処理「アヴァンギャルド」と第１画像処理「クロスプロセス（Ｂ）」の比率を示すパラメータ）がお気に入りに登録されているとする。この場合、表示制御部１４ａは、第１リング部分５０ａ〜第３リング部分５０ｃにおいてはカーソル５１を第１の回転速度（たとえば６０ｒｐｍ）で移動させる。一方、表示制御部１４ａは、第４画像処理パラメータが決定される第４リング部分５０ｄにおいてはカーソル５１を第１の回転速度よりも遅い第２の回転速度（たとえば４０ｒｐｍ）で移動させる。このように、表示制御部１４ａは、お気に入りとして登録された画像処理パラメータに対応するリング部分では、この他のリング部分よりもカーソル５１の移動速度を遅くする。
【００５４】
そして、カーソル５１を反時計回りに移動させている状態において、動き検出部１５によりデジタルカメラ１が上向きに振られたことが検出されると、表示制御部１４ａは、カーソル５１を停止させる。
【００５５】
一方、カーソル５１が停止している状態において、動き検出部１５によりデジタルカメラ１が上向きに振られたことが検出されると、表示制御部１４ａは、カーソル５１をリング画像５０に沿って時計回りに移動させる。このとき表示制御部１４ａは、上述した反時計回りの場合と同様に、カーソル５１を所定の速度で移動させ、お気に入りとして登録された画像処理パラメータに対応するリング部分では他のリング部分よりも遅い速度で移動させる。そして、カーソル５１を時計回りに移動させている状態において、動き検出部１５によりデジタルカメラ１が下向きに振られたことが検出されると、表示制御部１４ａは、カーソル５１を停止させる。
【００５６】
このように、カーソル５１が停止している状態で、動き検出部１５によりデジタルカメラ１が振られたことが検出されると、表示制御部１４ａは、デジタルカメラ１の振られた向き（すなわちＹ軸方向の加速度の向き）に応じた回転方向でカーソル５１を移動させる。そして、カーソル５１が移動している状態で、動き検出部１５によりカーソル５１の移動開始時とＹ軸方向において逆方向の加速度が検出されると、表示制御部１４ａは、カーソル５１を停止させる。
【００５７】
したがって、ユーザは、デジタルカメラ１を振るだけで、カーソル５１を移動させたり、カーソル５１を停止させたりすることができるので、片手のみで簡単にカーソル５１を操作して、所望の画像処理パラメータに基づく画像処理を撮像画像に施すことができる。
【００５８】
なお、表示制御部１４ａは、動き検出部１５で検出されたＹ軸方向の加速度の絶対値が所定の閾値以上である場合にカーソル５１を移動させ、所定の閾値未満である場合にはカーソル５１を移動させないようにする。こうすることにより、ユーザがカーソル５１を移動させるためにデジタルカメラ１を振った場合にのみカーソル５１を動かすことができ、たとえば構図を変えるためにユーザがデジタルカメラ１を動かした場合などにはカーソル５１を動かさないようにできる。
【００５９】
次に、クリエイティブモードにおいて、制御部１４が実行する処理の流れを、図６に示すフローチャートを用いて説明する。撮影モードがクリエイティブモードに切り替えられると、制御部１４は、メモリに記録された図６の処理を行うプログラムを起動して、当該処理を開始する。
【００６０】
ステップＳ１において、制御部１４は、撮像素子１２に時系列で被写体像を撮像させて撮像画像を取得し、スルー画として表示部１７に表示する処理を開始して、ステップＳ２へ進む。
【００６１】
ステップＳ２において、表示制御部１４ａは、リング画像５０とカーソル５１とをスルー画に重ねて表示部１７に表示する処理を開始して、ステップＳ３へ進む。
【００６２】
ステップＳ３において、制御部１４は、動き検出部１５により検出された加速度に基づいて、デジタルカメラ１が上向きまたは下向きに振られたか否かを判定する。制御部１４は、デジタルカメラ１が上向きまたは下向きに振られた場合にはステップＳ４へ進み、デジタルカメラ１が上向きまたは下向きに振られていない場合にはステップＳ１０へ進む。
【００６３】
ステップＳ４において、表示制御部１４ａは、デジタルカメラ１の振られた方向（Ｙ軸方向の加速度の向き）に応じた回転方向で、カーソル５１をリング画像５０に沿って所定の速度で移動させ、ステップＳ５へ進む。
【００６４】
ステップＳ５において、パラメータ決定部１４ｂは、上述したように、リング画像５０におけるカーソル５１の位置に応じて、撮像画像に対する画像処理の画像処理パラメータを決定して、ステップＳ６へ進む。
【００６５】
ステップＳ６において、画像処理部１４ｃは、ステップＳ５で決定された画像処理パラメータに基づく画像処理を撮像画像に対して行って、ステップＳ７へ進む。
【００６６】
ステップＳ７において、表示制御部１４ａは、ステップＳ６で画像処理が行われた撮像画像を、スルー画として表示部１７に表示して、ステップＳ８へ進む。これにより、カーソル５１の移動に応じた画像処理パラメータの変更がスルー画に反映される。したがって、ユーザはカーソル５１の移動による変更の内容を確認することができる。
【００６７】
ステップＳ８において、制御部１４は、動き検出部１５により、カーソル５１の移動開始時と逆方向の加速度が検出されたか（すなわちデジタルカメラ１が移動開始時と逆方向に振られたか）否かを判定する。制御部１４は、カーソル５１の移動開始時と逆方向の加速度が検出された場合にはステップＳ９へ進み、検出されていない場合にはステップＳ４に戻る。
【００６８】
ステップＳ９において、表示制御部１４ａは、カーソル５１を停止させて、ステップＳ１０へ進む。
【００６９】
ステップＳ１０において、制御部１４は、ユーザにより撮影指示が行われたか（すなわちシャッターボタンが押下されたか）否かを判定する。制御部１４は、撮影指示が行われた場合にはステップＳ１１へ進み、撮影指示が行われていない場合にはステップＳ３へ戻る。
【００７０】
ステップＳ１１において、制御部１４は、撮像素子１２に記録用の撮像処理を行わせる。画像処理部１４ｃは、当該撮像処理により得られた撮像画像データに対して、上記撮影指示の時点でのカーソル５１の位置に応じた画像処理パラメータに基づいて画像処理を行う。そして、制御部１４は、当該画像処理が施された撮像画像データを、静止画データとして記録媒体１８に記録し、図６に示す処理を終了する。
【００７１】
以上説明した実施の形態によれば、次の作用効果が得られる。
（１）デジタルカメラ１において、表示制御部１４ａは、撮像画像に対する画像処理の画像処理パラメータを決定するための決定用画像（リング画像５０）と決定用画像上の位置を選択するための選択手段（カーソル５１）とを表示部１７に表示し、動き検出部１５による検出結果に応じて、リング画像５０に沿ってカーソル５１を移動させる。パラメータ決定部１４ｂは、カーソル５１の位置に応じて画像処理パラメータを決定する。これにより、ユーザは、たとえば、片方の手でデジタルカメラを持ちながらもう片方の手でタッチパネルを操作する場合のように両手を使うことなく、片方の手でデジタルカメラ１を持って振るという操作のみで、カーソル５１を移動させることができる。したがって、ユーザは、デジタルカメラ１を片手で容易に操作して、撮像画像に施す画像処理パラメータを変更することができる。
【００７２】
（２）デジタルカメラ１において、表示制御部１４ａは、動き検出部１５の加速度センサにより検出された加速度の向きに応じた回転方向でカーソル５１を移動させるようにした。これにより、デジタルカメラ１の振る向きによってカーソル５１の回転方向が変わるので、ユーザにとって直感的でわかりやすい。
【００７３】
（３）デジタルカメラ１において、表示制御部１４ａは、動き検出部１５により所定の加速度（本実施形態では、Ｙ軸方向の加速度が所定の閾値以上の加速度）が検出されるとカーソル５１の移動を開始させる。また、表示制御部１４ａは、カーソル５１が移動している状態で、動き検出部１５によりカーソル５１の移動開始時と逆方向の加速度が検出されるとカーソル５１を停止させる。これにより、デジタルカメラ１を上向きまたは下向きに振るとカーソル５１の移動が開始され、移動開始時と逆の向きに振ればカーソル５１の移動が停止するので、ユーザにとってカーソル５１の移動開始と移動停止の操作が直感的でわかりやすい。
【００７４】
（４）デジタルカメラ１において、登録部１４ｄは、パラメータ決定部１４ｂにより決定可能な複数の画像処理パラメータ（第１画像処理パラメータ〜第４画像処理パラメータ）のうち、ユーザのお気に入りの画像処理パラメータを登録する。表示制御部１４ａは、リング画像５０において、登録部１４ｄで登録されたお気に入りの画像処理パラメータが決定される（すなわちお気に入りの画像処理パラメータに対応する）リング部分では、それ以外の部分よりもカーソル５１の移動速度を遅くする。ユーザは、カーソル５１の移動中、画像処理パラメータが逐次変化するスルー画を確認し、所望の画像処理パラメータとなった時点で、デジタルカメラ１を振ってカーソル５１を停止させる。そのため、カーソル５１の移動速度が遅い方が所望の位置でカーソル５１を停止させやすく、画像処理パラメータの細かい調整がしやすい。したがって、お気に入りの画像処理パラメータに対応するリング部分でカーソル５１の移動速度を遅くすることで、お気に入りの画像処理パラメータの細かい調整をしやすくすることができる。
【００７５】
（変形例１）
表示制御部１４ａは、動き検出部１５で検出された加速度の値に応じて、カーソル５１の移動速度を変化させるようにしてもよい。たとえば、表示制御部１４ａは、動き検出部１５で検出されたＹ軸方向の加速度の絶対値が大きいほど、カーソル５１の回転速度を速くするようにしてもよい。この場合、Ｙ軸方向の加速度の絶対値をＹとすると、表示制御部１４ａは、Ｙが第１の範囲内（０＜Ｙ≦０．５）である場合にはカーソル５１の移動速度を第１の回転速度Ａ[ｒｐｍ]とする。表示制御部１４ａは、Ｙが第２の範囲内（０．５＜Ｙ≦１．０）である場合にはカーソル５１の移動速度を、第１の回転速度Ａよりも速い第２の回転速度Ｂ[ｒｐｍ]とする。表示制御部１４ａは、Ｙが第３の範囲内（１．０＜Ｙ≦１．５）である場合にはカーソル５１の移動速度を第２の回転速度Ｂよりも速い第３の回転速度Ｃ[ｒｐｍ]とする。表示制御部１４ａは、Ｙが第４の範囲内（１．５＜Ｙ≦２．０）である場合にはカーソル５１の移動速度を第３の回転速度Ｃよりも速い第４の回転速度Ｄ[ｒｐｍ]とする。
【００７６】
こうすることで、ユーザがデジタルカメラ１を強く振るとカーソル５１の移動速度が速くなり、デジタルカメラ１を弱く振るとカーソル５１の移動速度が遅くなる。したがって、ユーザがデジタルカメラ１の振り方を変えることで、簡単にカーソル５１の移動速度を変化させることができる。
【００７７】
（変形例２）
上述した実施の形態では、ユーザがデジタルカメラ１の右側を保持して上下方向に振ることを前提として説明したが、ユーザのデジタルカメラ１の保持位置は右側に限定されない。たとえば、ユーザがデジタルカメラ１の左側を保持した場合は、右側を保持した場合と逆の制御を行うようにすればよい。すなわち、ユーザがデジタルカメラ１の左側を保持して下向きに振ったことを動き検出部１５で検出した場合には、表示制御部１４ａは、カーソル５１をリング画像５０に沿って時計周りに移動させる。また、ユーザがデジタルカメラ１の左側を保持して上向きに振ったことを動き検出部１５で検出した場合には、表示制御部１４ａは、カーソル５１をリング画像５０に沿って反時計周りに移動させる。このようにすることで、デジタルカメラ１の動きに合った方向にカーソル５１が移動するので、ユーザにとって直感的でわかりやすい。なお、デジタルカメラ１の保持位置が右側か左側かは、動き検出部１５の加速度センサにより検出されたＸ軸方向の加速度の正負で判断することができる。上述したように、ユーザがデジタルカメラ１の右側を保持して上向きまたは下向きに振ると、Ｘ軸負方向の加速度とＹ軸正方向または負方向の加速度とが検出される。一方、ユーザがデジタルカメラ１の左側を保持して上向きまたは下向きに振ると、Ｘ軸正方向の加速度とＹ軸正方向または負方向の加速度とが検出される。
【００７８】
また、上述では、ユーザがデジタルカメラ１を正位置に構えて撮影する場合を前提として説明したが、ユーザがデジタルカメラ１を縦位置（デジタルカメラ１の長手方向が重力方向と略一致する状態）に構えて撮影する場合にも、上述した場合と同様にカーソル５１の回転方向を制御してもよい。なお、デジタルカメラ１が正位置か縦位置かは、動き検出部１５の加速度センサにより検出された加速度で判断することができる。上述したように、デジタルカメラ１が正位置で静止している場合は、Ｘ軸方向の加速度はほぼ検出されず、Ｙ軸負方向の加速度が検出される。一方、デジタルカメラ１が縦位置で静止している場合は、Ｙ軸方向の加速度はほぼ検出されず、Ｘ軸正方向または負方向の加速度が検出される。また、デジタルカメラ１が縦位置の場合に、デジタルカメラ１が上向きに振られたか、下向きに振られたかは、Ｘ軸方向の加速度の正負で判断することができる。さらに、デジタルカメラ１が縦位置の場合に、デジタルカメラ１の保持位置が右側か左側かは、動き検出部１５の加速度センサにより検出されたＹ軸方向の加速度の正負で判断することができる。したがって、デジタルカメラ１が縦位置の場合も正位置の場合と同様に、動き検出部１５により検出されたＸ軸方向およびＹ軸方向の加速度に基づいて、デジタルカメラ１の動きに合った方向にカーソル５１が移動するように、カーソル５１の回転方向を制御できる。
【００７９】
以上のように、動き検出部１５は、加速度センサにより検出されるＸ軸方向の加速度およびＹ軸方向の加速度に基づいて、ユーザのデジタルカメラ１の保持位置と、デジタルカメラ１が振られた向き（上向きか又は下向きか）とを検出する。表示制御部１４ａは、動き検出部１５により検出された保持位置とデジタルカメラ１が振られた向きとに基づいて、カーソル５１を移動させる方向（すなわち回転方向）を決定する。このようにすることで、デジタルカメラ１の動きに合った方向にカーソル５１が移動するので、ユーザにとって直感的でわかりやすい。
【００８０】
（変形例３）
表示制御部１４ａは、ユーザにより操作部材１６の所定のボタンが押下された状態で、デジタルカメラ１が振られた場合に、カーソル５１を移動させるようにしてもよい。こうすることで、ユーザがカーソル５１を移動させるためにデジタルカメラ１を振った場合にのみカーソル５１を移動させることができ、構図の変更等でデジタルカメラ１を動かした場合にはカーソル５１を移動させないようにできる。
【００８１】
（変形例４）
上述した実施の形態では、リング画像５０におけるカーソル５１の位置に応じて、第１画像処理〜第４画像処理のうちの２つの画像処理の比率を示す画像処理パラメータを決定する例について説明したが、画像処理パラメータはこれに限らなくてもよい。たとえば、画像処理パラメータはある１つの画像処理の効果レベルであるようにしてもよい。たとえば、パラメータ決定部１４ｂは、カーソル５１が第１リング部分５０ａにある場合は第１画像処理を選択し、第１リング部分５０ａにおけるカーソル５１の位置に応じて第１画像処理の効果レベルを決定する。同様に、第２リング部分５０ｂでは第２画像処理の効果レベル、第３リング部分５０ｃでは第３画像処理の効果レベル、第４リング部分５０ｄでは第４画像処理の効果レベルを決定可能とする。また、たとえば、予め登録された複数のお気に入りの画像処理設定の中から、リング画像５０におけるカーソル５１の位置に応じてお気に入りの画像処理設定を呼び出すようにしてもよい。
【００８２】
（変形例５）
上述した実施の形態では、パラメータ決定部１４ｂは、リング画像５０におけるカーソル５１の位置に応じて、撮像画像に対する画像処理の画像処理パラメータを決定する例について説明したがこれに限らなくてよい。パラメータ決定部１４ｂは、リング画像５０におけるカーソル５１の位置に応じて、撮像画像の撮影パラメータ（たとえば、絞り、シャッタースピード、ＩＳＯ感度、撮影モードなど）を決定するようにしてもよい。たとえば、リング画像５０の各位置に、選択可能なシャッタースピードを対応付けておく。制御部１４は、デジタルカメラ１が上下に振られてカーソル５１が移動されると、移動後のカーソル５１の位置に対応付けられているシャッタースピードとなるように制御するようにする。
【００８３】
（変形例６）
上述した実施の形態では、動き検出部１５が加速度センサにより構成されている例について説明したが、これに限らず、たとえば傾き検出センサなどであってもよく、デジタルカメラ１の動きが検出可能な構成であればよい。傾き検出センサによってデジタルカメラ１の動きを検出する場合、表示制御部１４ａは、傾き検出センサによって検出されたデジタルカメラ１が傾けられた方向にカーソル５１を移動させるようにすればよい。また、この場合、図６のステップＳ８において、制御部１４は、デジタルカメラ１の傾きが正位置に戻ったか否かを検出して、デジタルカメラ１の傾きが正位置に戻ったと判定した場合、リング画像５０のカーソル５１を停止させればよい（図６のステップＳ９）。なお、縦位置撮影である場合には、デジタルカメラ１の傾きが縦位置に戻ったと判定した場合、リング画像５０のカーソル５１を停止させるようにしてもよい。
【００８４】
（変形例７）
上述した実施の形態では、静止画を撮影するモードにおいて、リング画像５０のカーソル５１を移動させることで、撮像画像に施す画像処理を変更する例について説明したが、動画を撮影するモードにおいて変更するようにしてもよい。また、撮影した画像を再生する再生モードにおいて、再生している撮像画像に施す画像処理を、リング画像５０のカーソル５１を移動させることで変更するようにしてもよい。この場合に、再生している撮像画像の拡大縮小をリング画像５０のカーソル５１を移動させることで行うようにしてもよい。
【００８５】
（変形例８）
上述した実施の形態では、シャッターボタンの押下操作に応じてシャッターを切る例について説明したが、タッチパネルに対するタッチ操作に応じてシャッターを切る、いわゆるタッチシャッターであってもよい。
【００８６】
（変形例９）
上述した実施の形態では、リング画像５０におけるカーソル５１の位置に応じて、４種類の画像処理（第１画像処理〜第４画像処理）の中から、撮像画像に施す画像処理を選択するようにした。しかしながら、リング画像５０で選択可能な画像処理の数はこれに限らなくてよく、２種類または３種類であってもよいし、５種類以上であってもよい。
【００８７】
（変形例１０）
上述した実施の形態では、画像処理パラメータを決定するための画像として、リング画像５０を用いる例について説明した。しかしながら、画像処理パラメータを決定するための画像は、リング形状に限らなくてもよく、たとえば、バー形状などであってもよい。この場合、表示制御部１４ａは、バー形状の画像上でカーソルを移動させ、パラメータ決定部１４ｂは、当該カーソルの位置に応じて画像処理パラメータを決定する。
【００８８】
（変形例１１）
上述した実施の形態では、デジタルカメラ１の制御部１４がメモリに記録されたプログラムを実行することで、上述した図６の処理を行う例について説明した。このプログラムは、製品出荷時に予め記録されていてもよいし、製品出荷後、メモリカードなどの記録媒体やインターネットなどのデータ信号を通じて提供されてもよい。図７はその様子を示す図である。デジタルカメラ１は、メモリカードなどの記録媒体１８を介してプログラムの提供を受ける。また、デジタルカメラ１は通信回線１０１との接続機能を有する。コンピュータ１０２は上記プログラムを提供するサーバコンピュータであり、ハードディスク１０３などの記録媒体にプログラムを格納する。通信回線１０１は、インターネット、パソコン通信などの通信回線、あるいは専用通信回線などである。コンピュータ１０２はハードディスク１０３を使用してプログラムを読み出し、通信回線１０１を介してプログラムをデジタルカメラ１に送信する。すなわち、プログラムをデータ信号として搬送波を介して、通信回線１０１を介して送信する。このように、プログラムは、記録媒体やデータ信号（搬送波）などの種々の形態のコンピュータ読み込み可能なコンピュータプログラム製品として供給できる。
【００８９】
（変形例１２）
上述した実施の形態では、デジタルカメラに本発明を適用する例について説明したが、これに限らなくてよい。たとえば携帯電話機、スマートフォン、タブレット端末などに本発明を適用するようにしてもよい。
【００９０】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００９１】
１…デジタルカメラ、１１…撮像光学系、１２…撮像素子、１４…制御部、１４ａ…表示制御部、１４ｂ…パラメータ決定部、１４ｃ…画像処理部、１４ｄ…登録部、１６…操作部材、１７…表示部、１８…記録媒体
【図１】
2015106824.tif 000003
【図２】
2015106824.tif 000004
【図３】
2015106824.tif 000005
【図４】
2015106824.tif 000006
【図５】
2015106824.tif 000007
【図６】
2015106824.tif 000008
【図７】
2015106824.tif 000009